(57)【要約】【課題】映像表示装置の高い解像度変換機能を利用することによって高画質の画像を表示することが出来る映像出力装置を提供する。【解決手段】本発明に係る映像出力装置１は、映像を含むコンテンツが記録されている記録媒体３からコンテンツデータを読み出し、該コンテンツデータを映像データに変換して映像表示装置２へ出力するものであって、デコーダ及び制御部４は、記録媒体３に記録されているコンテンツの解像度を取得すると共に、映像表示装置２が対応している解像度をＥＤＩＤＲＯＭ９から読み込み、コンテンツの解像度と映像表示装置２が対応している解像度とに応じて、両解像度が一致しないときは、映像表示装置２が対応している解像度の内、コンテンツの解像度に最も近い出力解像度を設定する。【選択図】図１
2007214830.tif 000002
【特許請求の範囲】
【請求項１】
デジタルインタフェースを介して映像表示装置と接続することが可能であって、映像を含むコンテンツが記録されている記録媒体からコンテンツデータを読み出し、該コンテンツデータを映像データに変換して映像表示装置へ出力する映像出力装置において、
出力すべき映像データの解像度を変換する解像度変換手段と、
記録媒体に記録されているコンテンツの解像度を表わす解像度情報を取得する解像度情報取得手段と、
映像表示装置が対応している解像度を表わす解像度情報を映像表示装置から読み込む解像度情報読み込み手段と、
前記解像度情報取得手段から得られる解像度情報が表わす第１解像度と、前記解像度情報読み込み手段から得られる解像度情報が表わす第２解像度とに応じて、前記解像度変換手段の動作を制御する解像度制御手段
とを具えていることを特徴とする映像出力装置。
【請求項２】
前記解像度制御手段は、第１解像度が第２解像度の１つと一致するときは解像度の変換を中止し、第１解像度が第２解像度の何れとも一致しないときは、第２解像度の内、第１解像度に最も近い解像度への変換を設定する請求項１に記載の映像出力装置。
【請求項３】
前記解像度制御手段は、前記解像度変換手段が対応している解像度と前記第２解像度との間で重複している解像度を抽出する手段と、抽出された解像度の中の最大解像度を前記第１解像度と比較する手段と、第１解像度が最大解像度よりも高いときは最大解像度に設定し、第１解像度が最大解像度よりも低いときは、前記抽出された解像度の次に高い解像度に設定する請求項２に記載の映像出力装置。
【発明の詳細な説明】
【技術分野】
【０００１】
本発明は、デジタル式ディスクプレーヤの如く、記録媒体からコンテンツを再生して、映像表示装置の画面に映像を表示することが可能な映像出力装置に関するものである。
【背景技術】
【０００２】
近年、高品位なデジタルデータを収録することが可能な次世代高密度光ディスクとして、ＨＤＤＶＤやＢｌｕ−ｒａｙＤｉｓｃが規格化されており、この様な規格のディスクによれば、従来の光ディスクよりも高解像度の映像を収録することが出来る。
また、ハイビジョン映像をそのままの解像度で記録することが可能な録画装置が登場しており、この様な録画装置によれば、高解像度の映像をデジタルデータとして、ＤＶＩ(Digital  Visual  Interface)やＨＤＭＩ(High-Definition Multimedia  Interface)ケーブルを介して、テレビジョン受像機等の映像表示装置へ出力することが出来る(特許文献１参照)。
【０００３】
この様なケーブルを介して映像出力装置と映像表示装置とが接続されている構成において、映像出力装置は、映像表示装置が保持しているＥＤＩＤ（Extended  Display  Identification  Data）に含まれる解像度情報を読み取ることによって、映像表示装置が対応している解像度を取得し、それに適合する解像度に変更して映像を出力することが出来る。
【０００４】
従来の映像出力装置による出力解像度の設定においては、例えば４８０ｉ，４８０ｐ，１０８０ｉ，７２０ｐ，１０８０ｐの中の１つの解像度に固定する固定解像度モードと、自動的に１つの解像度が選択されて設定される自動解像度モードとが用意されている。
固定解像度モードにおいては、記録媒体に記録されているコンテンツの映像が固定の解像度に変換されて、映像データとして映像表示装置に出力されるのに対し、自動解像度モードにおいては、映像表示装置のＥＤＩＤから得られた対応解像度の内、最も高い解像度となる様、出力解像度の変換が行なわれる。
【特許文献１】特開２００５−２５０３４２号公報［G09G5/00］
【発明の開示】
【発明が解決しようとする課題】
【０００５】
しかしながら、従来の映像出力装置において自動解像度モードが設定されている場合には、映像出力装置側で映像表示装置の対応解像度に出力解像度が変換されるので、映像表示装置に高性能の解像度変換機能が装備されていたとしても、一般に映像出力装置よりも映像表示装置の方が解像度変換機能の性能が高いにも拘わらず、該変換機能が利用されることはない。
【０００６】
又、映像表示装置側で対応可能な最大解像度で映像データが映像表示装置に入力された場合でも、映像表示装置のパネルの表示サイズが最大解像度に対応するサイズよりも小さいときは、映像表示装置側でダウンスケーリングが行なわれるため、映像表示装置が対応可能な最大解像度での入力が画質の面で必ずしも最良の選択肢にはならない。
【０００７】
更に、映像出力装置が自動解像度モードに設定されている場合、ユーザは、解像度変換機能を映像表示装置で利用するという選択は行なうことが出来ない。
一方、映像出力装置が固定解像度モードに設定されている場合、コンテンツの解像度と映像出力装置に設定されている固定解像度とが異なるときは、映像出力装置側で出力コンテンツの解像度が変換される。映像表示装置に搭載されている解像度変換機能を意図的に使用する為には、映像出力装置の出力設定を予めコンテンツの解像度に合わせる必要があるが、コンテンツの解像度は様々であるため、ユーザが意識して映像出力装置の出力解像度の変更を行なうことは困難であり、操作が煩雑である。
【０００８】
そこで本発明の目的は、映像表示装置の解像度変換機能がより高い性能を有する場合には該解像度変換機能を利用することによって、高画質の画像を表示することが出来、然も、何れの装置の解像度変換機能を利用するかの選択をユーザの恣意で行なうことが可能な映像出力装置を提供することである。
【課題を解決するための手段】
【０００９】
本発明に係る映像出力装置は、デジタルインタフェースを介して映像表示装置と接続することが可能であって、映像を含むコンテンツが記録されている記録媒体からコンテンツデータを読み出し、該コンテンツデータを映像データに変換して映像表示装置へ出力するものであり、
出力すべき映像データの解像度を変換する解像度変換手段と、
記録媒体に記録されているコンテンツの解像度を表わす解像度情報を取得する解像度情報取得手段と、
映像表示装置が対応している解像度を表わす解像度情報を映像表示装置から読み込む解像度情報読み込み手段と、
前記解像度情報取得手段から得られる解像度情報が表わす第１解像度と、前記解像度情報読み込み手段から得られる解像度情報が表わす第２解像度とに応じて、前記解像度変換手段の動作を制御する解像度制御手段
とを具えている。
【００１０】
上記本発明の映像出力装置によれば、コンテンツの解像度(第１解像度)と映像表示装置の解像度(第２解像度)とに基づく出力解像度の制御によって、映像表示装置の解像度変換機能が映像出力装置の解像度変換機能よりも高い性能を有する場合には、映像表示装置の解像度変換機能を利用することによって、高画質の画像を出力することが出来る。
【００１１】
具体的には、前記解像度制御手段は、コンテンツの解像度(第１解像度)に応じて出力解像度を設定するコンテンツ依存解像度モードで、第１解像度が第２解像度の１つと一致するときは解像度の変換を中止する。これによって、映像出力装置によって再生された映像データは同じ解像度を維持したまま、映像表示装置へ入力され、映像表示装置にて必要な解像度変換が施され、それによって得られた映像が画面に表示される。
一方、第１解像度が第２解像度の何れとも一致しないときは、第２解像度の内、第１解像度に最も近い解像度への変換を設定する。これによって、映像出力装置では、映像表示装置で対応可能な解像度に最小限の解像度変換が行なわれた後、映像出力装置にて、目的とする解像度まで上げるための解像度変換が行なわれる。
【００１２】
又、解像度制御手段に対してユーザの指示を与えることにより、何れの装置の解像度変換機能を利用するかの選択をユーザの恣意で行なうことも可能である。
例えば、映像出力装置の解像度を１つの解像度に固定する固定解像度モードを設定すれば、映像出力装置の解像度変換機能を利用して解像度の変換が行なわれる。又、自動的に１つの解像度が選択される自動解像度モードを設定すれば、映像表示装置の対応解像度の内、最も高い解像度となる様、映像出力装置にて解像度の変換が行なわれる。
【発明の効果】
【００１３】
本発明に係る映像出力装置によれば、映像表示装置の解像度変換機能がより高い性能を有する場合には該解像度変換機能を利用することによって、高画質の画像を表示することが出来、然も、何れの装置の解像度変換機能を利用するかの選択をユーザの恣意で行なうことが可能である。
【発明を実施するための最良の形態】
【００１４】
以下、本発明の実施の形態につき、図面に沿って具体的に説明する。
本発明に係る映像出力装置(１)は、図１に示す如く、表示パネルやスピーカを具えた映像表示装置(２)と接続されて、該映像表示装置(２)の画面に映像を表示するものである。
【００１５】
図１の如く、映像出力装置(１)は、ディスク等の記録媒体(３)に記録されているコンテンツを読み出してデコードすると共に映像表示装置(２)のＥＤＩＤを取得して後述の制御手続きを実行するデコーダ及び制御部(４)と、デコードされた映像データ及び音声データをＤＶＩ用若しくはＨＤＭＩ用のデータに変換するデータ変換回路(５)と、ＤＶＩケーブル或いはＨＤＭＩケーブルを介して映像表示装置(２)とデータの交換を行なうためのコネクタ(６)とを具えている。
【００１６】
一方、映像表示装置(２)は、ＤＶＩケーブル或いはＨＤＭＩケーブルを介して映像出力装置(１)とデータの交換を行なうためのコネクタ(７)と、該コネクタ(７)を経て受信したＤＶＩ用若しくはＨＤＭＩ用のデータを映像データと音声データに変換するデータ変換回路(８)と、対応解像度等が記述されたＥＤＩＤを格納するＥＤＩＤＲＯＭ(９)とを具えている。
【００１７】
映像出力装置(１)は、デコーダ及び制御部(４)を通じて、映像表示装置(２)からＥＤＩＤを読み込み、映像表示装置(２)の対応解像度情報を取得する。デコーダ及び制御部(４)は、コンテンツ再生時にコンテンツの解像度を検出すると共に、映像表示装置(２)から得られるＥＤＩＤに基づいて出力解像度を設定し、データ変換回路(５)へ映像データと音声データを供給する。データ変換回路(５)によりＤＶＩ用若しくはＨＤＭＩ用に変換されたデータは、コネクタ(６)から映像表示装置(２)へ送信される。
【００１８】
映像表示装置(２)は、コネクタ(７)を経てデータを受信し、データ変換回路(８)にて、受信したデータを映像データと音声データに変換し、これらのデータを表示パネル及びスピーカ(図示省略)へ供給する。又、ＥＤＩＤＲＯＭ(９)に格納されているＥＤＩＤは、映像出力装置(１)からの要求に応じて映像出力装置(１)へ送信される。
【００１９】
図２は、ＥＤＩＤの構造を表わしている。ＥＤＩＤは２５６バイトのセグメントで構成され、各セグメントは１２８バイトを境界としてブロック０とブロック１に分割され、図２はＥＤＩＤのブロック０のアドレス構造を表わしている。
ＥＤＩＤの“Ｈｅａｄｅｒ”領域には、ＥＤＩＤを識別する情報、“Ｖｅｎｄｅｒ／ＰｒｏｄｕｃｔＩＤ”領域には、映像表示装置の製造者や品番を識別するＩＤが記述されている。映像表示装置の解像度が格納される領域は、ＤＴＤ(Detai1ed  Timing  Descriptor)と呼ばれ、ブロックの０ｘ３６から０ｘ７Ｄまでの間の７２バイトのアドレス空間内に、複数の対応解像度情報を１８バイト単位で記述することが可能である。尚、ブロック内に記述しきれない場合はブロック１又は次のセグメントに記述することも可能となっている。
【００２０】
図３は、前記デコーダ及び制御部(４)による制御手続きを表わしている。本実施例では、画面出力解像度設定として、従来と同様の固定解像度モードと自動解像度モードに加えて、コンテンツ依存解像度モードが用意されている。
【００２１】
先ず図３のステップＳ１では、映像表示装置(２)がＤＶＩケーブル或いはＨＤＭＩケーブルを介して接続されているか否かを判断し、ここでノーと判断されたときは、ステップＳ２に移行して、ＤＶＩケーブル或いはＨＤＭＩケーブルを経由したデジタル映像出力をオフに設定し、手続きを終了する。
【００２２】
映像表示装置(２)が接続されており、ステップＳ１にてイエスと判断されたときは、ステップＳ３に移行して、映像表示装置(２)のＥＤＩＤＲＯＭ(９)からＥＤＩＤをデコーダ及び制御部(４)ヘダウンロードし、ＥＤＩＤの各ＤＴＤから映像表示装置(２)の対応解像度情報を取得する。
【００２３】
次に、ステップＳ４では、ユーザ操作による画面出力設定の内容を確認して、固定解像度モードが設定されていか否かを判断する。ここでイエスと判断されたときは、ステップＳ５に移行して、画面出力設定で指定されている解像度に設定し、手続きを終了する。
一方、ステップＳ４にてノーと判断されたときは更にステップＳ６にて自動解像度モードが設定されているか否かを判断する。ここでイエスと判断されたときは、ステップＳ７に移行して、映像表示装置(２)のＥＤＩＤから得られた対応可能解像度と映像出力装置(１)が出力可能な解像度とを比較し、一致した解像度の中から最も高い解像度に設定し、手続きを終了する。
【００２４】
これに対し、コンテンツ依存解像度モードが設定されており、ステップＳ６にてノーと判断されたときは、ステップＳ８に移行して、再生対象のコンテンツの解像度を取得する。そして、ステップＳ９では、取得されたコンテンツの解像度と映像表示装置(２)の対応可能な解像度とを比較し、コンテンツの解像度が対応可能な解像度の１つと一致しているか否かを判断する。
ステップＳ９にてイエスと判断されたときは、ステップＳ１０に移行して、出力解像度をコンテンツの解像度に設定した後、ステップＳ１５に移行する。
【００２５】
コンテンツの解像度が映像表示装置(２)の何れの対応解像度とも異なり、ステップＳ９にてノーと判断されたときは、ステップＳ１１に移行して、映像出力装置(１)と映像表示装置(２)の対応解像度を比較し、一致する解像度を全て抽出する。次にステップＳ１２では、コンテンツの解像度を抽出された解像度と比較し、コンテンツの解像度が抽出された解像度の中の最大の解像度よりも低いか否かを判断する。
【００２６】
コンテンツの解像度が抽出された解像度の最大解像度よりも低く、ステップＳ１２にてイエスと判断されたときは、ステップＳ１３に移行して、抽出した解像度の中から、コンテンツの解像度よりも１つの上の解像度に設定する。
一方、コンテンツの解像度が抽出された解像度の最大解像度以上であって、ステップＳ１２にてノーと判断されたときは、ステップＳ１４に移行して、抽出された解像度の中の最大の解像度に設定した後、ステップＳ１５に移行する。
【００２７】
ステップＳ１５では、コンテンツの再生中にコンテンツの解像度が変更されたか否かを判断し、変更があった場合はステップＳ８に戻って、コンテンツの解像度を取得し、同じ手続きを実行する。
【００２８】
図３に示す解像度設定手続きによれば、例えば図４(ａ)に示す様に映像出力装置(１)が解像度４８０ｉ，４８０ｐ，１０８０ｉ，７２０ｐ，１０８０ｐに対応しており、図４(ｂ)に示す様に映像表示装置(２)の解像度が４８０ｐと７２０ｐに対応している場合において、映像出力装置(１)と映像表示装置(２)の両方に共通する解像度は４８０ｐと７２０ｐであるから、図３のステップＳ１１では、図４(ｃ)の如く４８０ｐと７２０ｐが抽出されることになる。
【００２９】
ここで、映像出力装置(１)をコンテンツ依存解像度モードに設定したとき、コンテンツの解像度と映像出力装置(２)の出力解像度とは、図４(ｄ)に示す対応関係となる。
例えば、コンテンツの解像度が４８０ｐ又は７２０ｐであるとき、図３のステップＳ９ではイエスと判断されて、ステップＳ１０により、映像出力装置(１)から出力される解像度はコンテンツの解像度と同じとなる。この結果、映像表示装置(２)にて、４８０ｐから７２０ｐへの解像度変換が行なわれることになる。
【００３０】
これに対し、コンテンツの解像度が４８０ｉであるときは、ステップＳ１３にて、抽出した解像度の中から４８０ｉより１つ上の解像度である４８０ｐが選択され、映像表示装置(２)にて、４８０ｐから７２０ｐへの解像度変換が行なわれることになる。又、コンテンツの解像度が１０８０ｉの場合は７２０ｐが選択される。
一方、コンテンツの解像度が１０８０ｐである場合は、ステップＳ１４により、抽出した解像度で最も高い解像度である７２０ｐに設定されることになる。
【００３１】
上述の如く本発明に係る映像出力装置(１)によれば、コンテンツ依存解像度モードを設定することにより、映像表示装置(２)が発揮する高性能の解像度変換機能を利用して、映像表示装置(２)の画面に高画質の画像を表示することが出来る。
【図面の簡単な説明】
【００３２】
【図１】本発明に係る映像出力装置と映像表示装置の構成を示すブロック図である。
【図２】ＥＤＩＤの構造を表わす図である。
【図３】本発明に係る映像出力装置における解像度切換制御を表わすフローチャートである。
【図４】コンテンツの解像度に応じて出力解像度が設定される例を説明する図である。
【符号の説明】
【００３３】
(１)  映像出力装置
(２)  映像表示装置
(３)  記録媒体
(４)  デコーダ及び制御部
(５)  データ変換回路
(６)  コネクター
【図１】
2007214830.tif 000003
【図２】
2007214830.tif 000004
【図３】
2007214830.tif 000005
【図４】
2007214830.tif 000006